(57)【要約】【課題】  感度良く信号を受信できるようにする。【解決手段】  空芯コイル１２１とチップコンデンサ１２２により共振回路が構成される。この共振回路は、信号源から発生された信号を受信し、所定の周波数の信号を抽出するために設けられている。空芯コイル１２１は、基板１２３上には配置されず、他の部品と比較して大きく構成される。また、空芯コイル１２１は、信号源が信号を発することにより生じる電磁界から効率良く信号を受信できる構成に設計される。空芯コイル１２１とチップコンデンサ１２２により構成される共振回路で受信された信号は、増幅器７４に供給され、さらに後段の処理で、波形整形などの処理が施され、マイクロコンピュータ５３に供給される。本発明は、装置同士は非接触でデータの授受を行う通信装置に用いることができる。【選択図】図７
2005094466.tif 000002
【特許請求の範囲】
【請求項１】
信号を入力する入力手段と、
前記信号を受信する受信手段と、
前記入力手段により入力された前記信号と、前記受信手段により受信された前記信号とから、所定の周波数の信号を抽出する抽出手段と、
前記抽出手段により抽出された前記信号に基づく制御を実行する制御手段と
を備え、
前記入力手段は、生体に接する側に２つの電極を備え、
前記抽出手段は、コイルとコンデンサにより構成される共振回路を備え、
前記受信手段は、前記コイルを含む構成であり、そのコイルの一端は前記電極に接続されている
ことを特徴とする通信装置。
【請求項２】
前記コイルは、空芯コイルである
ことを特徴とする請求項１に記載の通信装置。
【請求項３】
前記コイルは、前記コンデンサがマウントされている基板上に設けられている
ことを特徴とする請求項１に記載の通信装置。
【請求項４】
電力を供給する電力供給手段をさらに備え、
前記電力供給手段は、前記コイルにより受信される前記信号とは異なる周波数の信号から生成した電力を供給する
ことを特徴とする請求項１に記載の通信装置。
【請求項５】
前記電力供給手段は、二次電池を含み、
前記二次電池は、生成された前記電力により充電される
ことを特徴とする請求項４に記載の通信装置。
【発明の詳細な説明】
【技術分野】
【０００１】
本発明は、通信装置に関し、特に、通信装置自体は非接触で通信を行い、ユビキタスコンピューティング（Ubiquitous Computing）に適用して好適な通信装置に関する。
【背景技術】
【０００２】
近年、ユビキタス環境というものが注目をあびつつある。ユビキタス環境というのは、例えば、家電製品などの身の回りに存在する装置がコンピュータを内蔵し、その各々のコンピュータが通信する機能を有している状況が整っている環境である。また、ウエアラブル（Wearable）環境というものも注目をあびている。このウエアラブル環境というのは、コンピュータを着るという意味合いであるが、ユーザがコンピュータを体の一部分に装着し、そのコンピュータでいつでも、どこでも情報の授受を行える状況が整っている環境である。
【０００３】
ユビキタス環境とウエアラブル環境は共に発達することにより、ユーザが装着しているコンピュータと家電装置内に内蔵されたコンピュータが、情報の授受を行うことができるようになり、例えば、認証処理などを容易に行える状況が確立されることになる。（特許文献１参照）
【特許文献１】特開２００２−９７１０号公報
【発明の開示】
【発明が解決しようとする課題】
【０００４】
ウエアラブル環境を発達させるには、そのウエアラブル環境に用いられるユーザ側の装置を、できる限り小型にすることが好ましい。また、情報の授受を他の装置と行うため、送受信の感度を高める必要性がある。
【０００５】
また、情報の授受を行うためには電力を必要とするが、小型化された装置に電池を備えるようにした場合、その電池自体を小さいものとすると、装置の駆動時間が短くなってしまうという問題があり、その問題を解決するために、電池自体を大きなものとすると、装置自体を小型化できないといった問題が発生する。このため、小型化された装置の電力の消費量を抑え、装置の駆動時間を長くすることが重要となるが、より高度な処理を行う装置では、そのようなことを実現するのは困難であるといった問題があった。
【０００６】
本発明はこのような状況に鑑みてなされたものであり、ウエアラブル環境に用いられるユーザ側の装置の送受信にかかわる感度を高め、消費電力を抑えつつも高度な処理が実行できるようにし、装置自体も小型化することを目的とする。
【課題を解決するための手段】
【０００７】
本発明の通信装置は、第１に、信号を入力する入力手段と、信号を受信する受信手段と、入力手段により入力された信号と、受信手段により受信された信号とから、所定の周波数の信号を抽出する抽出手段と、抽出手段により抽出された信号に基づく制御を実行する制御手段とを備え、入力手段は、生体に接する側に２つの電極を備え、抽出手段は、コイルとコンデンサにより構成される共振回路を備え、受信手段は、コイルを含む構成であり、そのコイルの一端は電極に接続されていることを要旨とする。
【０００８】
第２に、前記第１の要旨に加え、前記コイルは、空芯コイルであることを要旨とする。
【０００９】
第３に、前記第１の要旨に加え、前記コイルは、コンデンサがマウントされている基板上に設けられていることを要旨とする。
【００１０】
第４に、前記第１の要旨に加え、電力を供給する電力供給手段をさらに備え、電力供給手段は、コイルにより受信される信号とは異なる周波数の信号から生成した電力を供給することを要旨とする。
【００１１】
第５に、前記第４の要旨に加え、電力供給手段は、二次電池を含み、二次電池は、生成された電力により充電されることを要旨とする。
【００１２】
本発明の通信装置においては、制御するために必要な情報が、ユーザ側に接する形で設けられている２つの電極を介して入力される信号と、コイルにより構成されるアンテナにより受信された信号とから取得される。また、それらの処理を行うために必要となる電力は、通信により取得される信号から生成される。
【発明の効果】
【００１３】
本発明によれば、ウエアラブル環境とユビキタス環境に適した装置を提供することが可能となる。
【００１４】
本発明によれば、ウエアラブル環境に用いられる装置の消費電力を抑えつつも高度な処理が実行できるようになり、装置自体の大きさを小型化することができる。
【００１５】
本発明によれば、ウエアラブル環境に用いられる装置の送受信に関する感度を高めることができる。また、送受信に関する感度を高めたとしても、装置自体の大きさを小型化することができる。
【発明を実施するための最良の形態】
【００１６】
以下に本発明の最良の形態を説明するが、開示される発明と実施の形態との対応関係を例示すると、次のようになる。明細書中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００１７】
さらに、この記載は、明細書に記載されている発明の全てを意味するものではない。換言すれば、この記載は、明細書に記載されている発明であって、この出願では請求されていない発明の存在、すなわち、将来、分割出願されたり、補正により出現し、追加される発明の存在を否定するものではない。
【００１８】
本発明の通信装置、例えば、本実施の形態においては図５に示すウエアラブル通信装置５は、信号を入力する入力手段（例えば図５の電極３１，３２）と、信号を受信する受信手段（例えば、図５のコイル７１）と、入力手段により入力された信号と、受信手段により受信された信号とから、所定の周波数の信号を抽出する抽出手段（例えば、図５の共振回路７３）と、抽出手段により抽出された信号に基づく制御を実行する制御手段（例えば、図５のマイクロコンピュータ５３）とを少なくとも備える。
【００１９】
前記コイルは、空芯コイル（例えば、図７に示す空芯コイル１２１）である。
【００２０】
前記コイルは、コンデンサがマウントされている基板上に設けられている（例えば、図１０のループコイル１３１）である。
【００２１】
前記通信装置は、電力を供給する電力供給手段（例えば、図４の電力供給部５４）をさらに備え、電力供給手段は、コイルにより受信される信号とは異なる周波数の信号から生成した電力を供給することを要旨とする。
【００２２】
前記電力供給手段は、二次電池（例えば、図１９の二次電池２５２）を含み、二次電池は、生成された電力により充電される。
【００２３】
以下に、本発明の実施の形態について図面を参照して説明する。
【００２４】
図１は、本発明が適用されるシステムの一実施の形態の構成を示す図である。ＰＣ（Personal Computer）１ａ乃至１ｃは、ＬＡＮ（Local Area Network）２に接続され、相互にデータの授受が行える構成とされている。ＬＡＮ２は、有線で構成されても、無線で構成されても、どちらでも良い。ＰＣ１ａ乃至１ｃには、それぞれ、アダプタ３ａ乃至３ｃが接続されている。アダプタ３ａ乃至３ｃには、それぞれ、電極４ａ乃至４ｃが接続されている。
【００２５】
以下の説明において、ＰＣ１ａ乃至１ｃを個々に区別する必要性がない場合、単に、ＰＣ１と記述する。また、他の装置においても同様に記述する。
【００２６】
電極４は、ユーザが接触する部位として設けられている。そして、ユーザが電極４に接触することにより、ユーザに装着されたウエアラブル通信装置５との間で、通信路が確立される。通信路が確立されることにより、アダプタ３とウエアラブル通信装置５との間で、データの授受が行うことができる状態にされる。
【００２７】
アダプタ３は、通信路が確立された状態において、ウエアラブル通信装置５と通信を行うために設けられている。アダプタ３は、ＰＣ１から供給されるデータをウエアラブル通信装置５に供給すると共に、ウエアラブル通信装置５から供給されるデータをＰＣ１に供給するといった処理を行う。すなわち、アダプタ３は、ＰＣ１とウエアラブル通信装置５とのデータの授受を制御するためのインタフェースとして設けられている。
【００２８】
アダプタ３は、ＰＣ１とＲＳ２３２Ｃ（Recommended Standard 232C）ケーブルやＵＳＢ（Universal Serial Bus）により接続される。または、アダプタ３は、ＰＣ１と一体化されて構成されていても良い（ＰＣ１の１機能として実現されるように構成されていても良い）。
【００２９】
図２は、ウエアラブル通信装置５を装着したユーザが、電極４に接触した状態を示す図である。図２に示した状態では、ユーザの手１１に腕時計のようにウエアラブル通信装置５が装着された状態を示している。そして、その手１１の一部分が、電極４と接触している状態を示している。さらに、図２において電極４は、マウス１２に備えられている状態を示している。マウス１２は、通常、ＰＣ１に接続されていることが多く、そのマウス１２に設けられているボタンの部分（通常、ユーザの指にふれる部分）やボタン以外の部分（通常、ユーザの手のひらの部分）に電極４が設けられる。
【００３０】
また、図２に示したようにマウス１２に電極４が設けられる場合、アダプタ３は、マウス１２内に設けられる構成としても良いし、マウス１２とＰＣ１との間に設けられるような構成としても良いし。アダプタ３が、どこに、どのような形で設けられるようにしても良いが、図３に示すように、少なくとも、信号源２１（ウエアラブル通信装置５に供給する信号（データ）を送信する装置）を含む構成とされ、その信号源２１が電極４と接続されている構成とされていればよい。
【００３１】
また、図３に示すように、ウエアラブル通信装置５には、ユーザの手１１と接する側（人体（生体）に接する側）に、２つの電極３１と電極３２が設けられている。電極３１と電極３２のうち、一方が信号側とされ、他方がＧＮＤ（接地）側とされる。ここでは、電極３１を信号側とし、電極３２をＧＮＤ側として説明する。
【００３２】
ここで、以下に行う説明の概略を記載する。本発明は、ウエアラブル通信装置５の主に受信側に関するものであるために、受信側に関わる構成および処理について説明し、送信側について適宜説明を省略する。受信側とは、信号源２１からの信号を受信する側のことを意味する。
【００３３】
まず、受信側においては、ユーザの手１１が電極４に接触することにより、電極４（アダプタ３）とウエアラブル通信装置５との間に通信路が確立されるわけだが、その通信路を介して、いかに効率良くデータを受信するかが問題となる。まず、効率良くデータを受信するための構成、換言すれば、ウエアラブル通信装置５の送受信に関する感度を、いかに高めるかについて説明する。
【００３４】
次に、送受信を行うためには、ウエアラブル通信装置５内の各部を駆動させるための電力が必要となるが、その電力の確保に関わる構成と処理について説明する。
【００３５】
まず、ウエアラブル通信装置５の送受信に関する感度を高めるための構成について説明する。図４は、ウエアラブル通信装置５の内部構成例を示す図である。ウエアラブル通信装置５は、信号源２１からの信号を受信する受信部５１、アダプタ３に対して信号を送信する送信部５２、受信された信号や送信される信号を処理するマイクロコンピュータ５３、および、ウエアラブル通信装置５の各部に電力を供給する電力供給部５４から構成される。
【００３６】
ユーザの手１１（図３）が電極４に接触すると、電極４と電極３１との間に通信路が確立される。この通信路を介して信号源２１から信号（データ）と、信号源２１（電極４）から空気中に発信される信号を受信部５１は受信する。受信部５１は、後述するように、図５に示すような構成とされている。受信部５１により受信された信号は、増幅される等の処理が施された後、マイクロコンピュータ５３に供給される。
【００３７】
マイクロコンピュータ５３は、供給された信号（データ）を解析する。例えば、マイクロコンピュータ５３は、ユーザＩＤやプログラムなどを図示されていない記憶部に記憶している。そして、受信部５１から供給された信号を解析した結果、その記憶部に記憶されているユーザＩＤを供給せよという指示であると判断された場合、記憶部からユーザＩＤを読み出し、送信部５２に供給する。送信部５２は、供給されたユーザＩＤなどのデータを、一時バッファリングし、適切なタイミングで、電極３１を介して、電極４（アダプタ３）に送信する。
【００３８】
電力供給部５４は、ウエアラブル通信装置５の各部に電力を供給する。その供給する電力は、後述するように、信号源２１側から供給される電力を受信することにより取得する。または、電力供給部５４は、充電可能な二次電池を有し、その２次電池から供給し、必要に応じ、各部に電力を供給するだけでなく、二次電池に対して充電も行う。
【００３９】
図５は、ウエアラブル通信装置５の回路図である。図５に示したウエアラブル通信装置５には、電力供給部５４については後述するので、省略して図示してある。受信部５１は、まず、並列に接続されたコイル７１とコンデンサ７２を備えている。このコイル７１とコンデンサ７２により共振回路７３が構成されている。なお、コイル７１は、ウエアラブル通信装置５内におけるループアンテナとしても用いられる。以下の説明においては、コイルという表記をするが、そのコイルは、アンテナとしての機能を有するものとしての意味合いも含む。
【００４０】
共振回路７３は、増幅器７４の一方の端子と接続されている。増幅器７４の他方の端子は、抵抗７５とコンデンサ７６を介して接地されている。増幅器７４の出力側の端子は、波形整形部７８と抵抗７５に接続されている。抵抗７５は、抵抗７６の他端とコンデンサ７７を介して接地されている。波形整形部７８の出力側の端子は、マイクロコンピュータ５３に接続されている。
【００４１】
送信部５２は、増幅器８１を備える構成とされ、マイクロコンピュータ５３から出力された信号を必要に応じバッファリングし、増幅し、送信する。
【００４２】
受信部５１に設けられている共振回路７３は、信号源２１から発信された信号を受信し、抽出するために設けられている。この共振回路７３は、信号源２１からの信号を効率良く受信するために、以下に説明するような構成とされている。まず、図６を参照して、共振回路７３が受信する信号を供給する電磁界について説明する。電磁界は、信号源２１が信号を発信することにより発生するものである。
【００４３】
図６の上段は、ユーザの手１１が電極４に接触していない状態を示し、図６の下段は、ユーザの手１１が電極４に接触している状態を示している。図６の上段に示した図を参照するに、ユーザの手１１が電極４に接触していない状態では、信号源２１が信号を発信することにより電極４のまわりに発生する電磁界１０１は、電極４の周りにしか存在しない。
【００４４】
このような状態に対し、ユーザの手１１が電極４に接触した状態（図６の下段に示した状態）では、電磁界１０１は、電極４の周りだけではなく、ユーザの手１１の周りにも存在する。すなわち、ユーザの手１１が電極４に接触することにより、電磁界１０１が存在する範囲が拡大したことになる。
【００４５】
このようなことは、事実として認識されていることであり、どのようなメカニズムにより電磁界が拡大するのかなどは、ここでは問題ではないため、説明を省略するが、事実として認識されていることを示す一例として、文献を１件上げておく。
【００４６】
藤井勝之、伊藤公一、田島茂、「人体を伝送路として利用した通信システムのモデル化に関する検討」、社団法人映像情報メディア学会研究速報、Vol.56，NO11，1845頁乃至1849頁（２００２年）
【００４７】
ユーザが電極４に接触することにより、電磁界１０１が拡大することを利用することにより、共振回路７３が、効率良く信号源２１からの信号を受信できる構成とする。また、このようなことを利用することにより、ユーザが意図して、電極４に接触したときしかデータの授受が行われないように制御することが可能となる。
【００４８】
すなわち、まず、図６の上段を再度参照するに、ユーザの手１１が電極４に接触していない状態だと、電磁界１０１の存在する領域は、電極４の周りだけである。よって、ユーザがウエアラブル通信装置５を装着した状態で、電極４の近くに位置した状態であっても、電極４とウエアラブル通信装置５との間に通信路が確立することはなく、データの授受が行われる状態になることもない。よって、ウエアラブル通信装置５が電極４の近くに存在するというだけで、誤ってデータが授受されてしまうようなことを防ぐことが可能となる。
【００４９】
逆に、ユーザが、データの授受を行いたいときには、そのような意図をもって、ユーザは、電極４にさわる。そのようなユーザが電極４にさわることにより、電磁界１０１が拡大し、電極４とウエアラブル通信装置５との間に通信路が確立され、電磁界１０１からも信号を受信することができる状態となる。よって、ユーザが意図したときだけ、ウエアラブル通信装置５がデータの授受を行う状態とされる。ユーザが意図したときだけしか、データの授受が行われないということを、ユーザ自身が、電極４に接触するという行動で制御できるため、ユーザが自己の情報などを自分自身で管理できるという安心感を得ることができる。
【００５０】
さらに、ユーザが電極４に接触することにより電磁界１０１が拡大することを積極的に利用し、ユーザが電極４に接触しているときしかデータの授受を行わないと設定してしまえば、ユーザが接触していない状態、すなわち、待機状態の状態のときには、信号源２１は、電磁界１０１を発生する必要性がなくなる（発生させたとしてもその領域は、電極４の周りのごく限られた領域だけでよい）。よって、電磁界１０１を発生させるための電力が小さくても良くなり、信号源２１の消費電力を抑えることが可能となる。
【００５１】
このように、ユーザが電極４に接触したときだけ、電磁界１０１が拡大し、その拡大した電磁界１０１を効率良く利用できるようにすることにより、上述したような利点がある。そこで、次に、具体的に、拡大された電磁界１０１を効率良く受信するための共振回路７３の構造について説明する。
【００５２】
図７は、ウエアラブル通信装置５の具体的な構成を示す図である。図５と比較して説明するに、コイル７１は、空芯コイル１２１で構成されている。コンデンサ７２は、チップコンデンサ１２２で構成されている。基板１２３上には、チップコンデンサ１２２、増幅器７４、マイクロコンピュータ５３、および、増幅器８１が組み込まれている（マウントされている）。もちろん、図示はしていないが、抵抗７５なども基板１２３上に組み込まれている。
【００５３】
このように、共振回路７３の一実施の形態としては、空芯コイル１２１とチップコンデンサ１２２との組み合わせが考えられる。また、チップコンデンサ１２２は、その大きさから基板１２３上に備えられているが、空芯コイル１２１は、その大きさから基板１２３の外に備えられる。空芯コイル１２１が基板１２３の外に備えられる方が、１つの筐体の中にウエアラブル通信装置５の機能を実現するための回路を組み込むことを考えると好ましいと考えられる。この場合、例えば、空芯コイル１２１の大きさは、５×１０ミリセンチメートルの扁平型に構成される。
【００５４】
また、この実施の形態においては、コンデンサ７２は、基板１２３にマウントされているものを用いるようにし、コイル７１の方を適切に設定することにより、ウエアラブル通信装置５の送受信に関する感度を向上させるようにするが、コンデンサ７２は、必ずしも基板１２３にマウントされている必要はなく、適宜、コイル７１と同様に、基板１２３の外に設けられるように構成されても良い。
【００５５】
図７に示した構成では、空芯コイル１２１とチップコンデンサ１２２は、直列に接続されている。すなわち、図７に示した構成のうち、受信部５１の構成のみに注目して図示し直すと、図８に示したような回路図になる。図８に示したように、コイル７１とコンデンサ７２が直列に接続されることにより、共振回路７３が構成されている。このように、共振回路７３は、コイル７１とコンデンサ７２の組み合わせにより構成されるが、その接続方式は、直列でも並列でも良い。
【００５６】
また、コイル７１として空芯コイル１２１を用いる構成とした場合においても、図９に示すように、基板１２３の一部（全体でも良い）を囲むように（一周するように）空芯コイル１２１を配置しても良い。換言すれば、空芯コイル１２１は、内部が空芯であるが、その内部に基板１２３が配置される構成とされるようにしても良い。
【００５７】
このように、コイル７１を、基板１２３の周辺に巻き付くように配置することで、コイル７１の搭載面積を節約することができ、コイル７１自体の面積を大きくすることも可能となる。また、ウエアラブル通信装置５自体を小型化する上でも、そのように構成することによる効果を得ることができると考えられる。
【００５８】
なお、基板１２３上には、種々の部品が搭載され、それらの部品毎に金属部分が存在し、プリント基板のパターン部分にも金属部部分が存在しているが、コイル７１を基板１２３の周囲に巻き付けるように設けた場合、それらの金属部分などに対して、コイル７１を含む共振回路７３からの影響があると考えられるが、その影響は無視できる程度であると考えられる。もちろん、影響がないと考えられても、さらに、そのような影響がないように対策を取ることは、設計上、適宜行われることであり、その方法はとわない。
【００５９】
ここまで、コイル７１を空芯コイル１２１として構成した場合を説明したが、空芯コイル１２１の内部に、フェライトコアなどを入れても良い。空芯コイル１２１の内部にフェライトコアを入れることにより、磁束をそのフェライトコアに集中させることができ、コイルを小型化することができる。ただし、本実施の形態においては、コイル７１は、電磁界１０１から信号をとらえることを目的として設置されるものであるため、その目的を達成するのに、最も効果が得られる配置や大きさを適切に選択される必要がある。
【００６０】
よって、フェライトコアをウエアラブル通信装置５を小型化する目的で空芯コイル１２１内に備える構成とすることにより、本来の目的が阻害されるようなことがあれば、フェライトコイルを備えない構成とした方が良い。しかしながら、フェライトコイルを入れることも一実施の形態として考えられ、そのような構成も考慮することにより、ウエアラブル通信装置５の設計の自由度を増加させる結果となり、結果として、より良い構成を見いだすことができる。
【００６１】
コイル７１として空芯コイル１２１を用いる他に、図１０に示すようにループコイル１３１（ループアンテナ）を用いるようにしても良い。ループコイル１３１を用いるようにした場合、ループコイル１３１を、基板１２３上に、ループコイル１３１以外の部品を囲むように配置すればよい。このように（図１０に示すように）配置すれば、ウエアラブル通信装置５自体の小型化を妨げることなく、ループコイル１３１自体の面積を大きくすることができる。
【００６２】
図１１は、コイル７１の他の実施の形態を示す図である。図１１に示したコイル７１は、複数のコイル１４１から構成されている。複数のコイル１４１からコイル７１を構成することで、（高周波）トランス効果を持たせることが可能となり、増幅器７４のインピーダンスが所定の値以上であれば（比較的高い値であれば）、入力される信号のステップアップとして使用可能である。また、増幅器７４が所定の有限値（例えば、キャリア周波数帯で、１０キロオーム（ＫΩ））であるならば、増幅器７４のインピーダンスにマッチ（整合）した巻数に、コイル１４１を設定するように調整することも可能となる。
【００６３】
図１２または図１３は、共振回路７３の他の配置例を示す図である。図５、図８、または図１１を参照して説明したウエアラブル通信装置５の回路構成では、共振回路７３は、電極３１に直接接続されている例を示したが、図１２または図１３に示したように増幅器７４側（増幅段）に設けられるようにしても良い。図１２に示した構成例は、共振回路７３が並列に構成されている場合を示し、図１３に示した構成例では、共振回路７３が直列に構成されている場合を示している。
【００６４】
このように、コイル７１は、どのような形状のコイルを用いても良い。また、コイル７１とコンデンサ７２から構成される共振回路７３は、受信部５１内のどのような部分に設けられても良い。ただし、以下のようなことを考慮し、その大きさ、形状、配置などを決定される必要がある。
【００６５】
まず、コイル７１の大きさや形状に関しては、電磁界１０１から信号を受信するということを考慮すると、その電磁界１０１とふれる面積が大きい方が良い。しかしながら、コイル７１の大きさは、ウエアラブル通信装置５の小型化を阻害しない程度の大きさに限定される。よって、コイル７１は、ウエアラブル通信装置５の筐体の大きさ内で、最も大きな面積を有する形状にされることが好ましい。
【００６６】
また、コイル７１の大きさや形状が決定されることにより、コイル７１のインダクタンスが決定される。インダクタンスは、共振回路７３の共振周波数に関係してくる。すなわち、本実施の形態においては、共振回路７３で電磁界１０１から信号を受信することにあるが、受信するためには、共振回路７３の共振周波数と、電磁界１０１の信号の周波数とが一致してときが、最も効率良く受信を行うことができる。共振回路７３の共振周波数は、次式（１）により求められる。
【００６７】
【数１】
2005094466.tif 000003
共振周波数fは、コイル７１のインダクタンスＬとコンデンサ７２のキャパシタンスＣのルート（平方根）をとったものに、２πを乗算し、その２πが乗算された値の逆数をとったものとされる。
【００６８】
よって、通信に用いられる信号の周波数が決定されている場合、インダクタンスＬが決定されれば、式（１）より、キャパシタンスＣも決定することができる。その決定されたキャパシタンスＣを有するコンデンサ７２が用いられる必要がある。
【００６９】
次に共振回路７３の配置位置について説明する。図１４は、共振回路７３の配置位置について説明するための図である。図１４に示した状態は、ユーザの手１１にウエアラブル通信装置５が装着されている状態で、かつ、電極４に接触している状態である。また、図１４に示した状態では、ユーザの手１１（腕）の長手方向に電極３１と電極３２が配置されるように構成されたウエアラブル通信装置５が装着されている。
【００７０】
このような状態では、電界１５１は、図１４に示すように、腕の長手方向に発生し、磁界１５２は、その電界１５１に直交する方向に発生する。従って、例えば、図１０に示したループコイル１３１は、これらに直行する方向に設置される方が良いと考えられる。このようなことを考慮した場合、図１０に示したように、基板１２３上にループコイル１３１を形成し、コンデンサ１２２と共振回路を形成することが一例としてあげられる。
【００７１】
なお、必ずしも、磁界の方向に対して直交するようにコイル７１が配置されなくても良い。一例として、キャリア周波数帯として１０ＭＨｚ程度を用いた実験においては、磁界の方向に対するコイル７１の向きが、直角であっても並行であっても、あるいは、その他の関係を有する方向であっても、感度の違いはあまりなかったことが本発明者により認識されている。この認識結果から、ウエアラブル通信装置５の感度を決定する要因としては、キャリア周波数帯も関係し、用いられるキャリア周波数帯で、最も感度が良いコイル７１の配置位置は異なる可能性もある。
【００７２】
これらのことが考慮され、コイル７１のウエアラブル通信装置５内の配置が決定されれば良い。
【００７３】
なお、上述した実施の形態におけるコイル７１を構成する線は、どのようなものを用いても良い。例えば、高周波による表皮効果を抑えることを目的としてリッツ線（極細の導線を撚り線としたもの）を使用するようにしても良い。
【００７４】
ここで、上述したように構成を有するウエアラブル通信装置５の利点について説明を加える。例えば、図３に示したように、本実施の形態におけるウエアラブル通信装置５は、信号側の電極３１とＧＮＤ側の電極３２を有する。その配置は、図１５に示すようになっている。すなわち、電極３１と電極３２は、ユーザの手１１と接触する側に、距離Ｗだけ離れた位置に設けられている。このように、電極３１と電極３２を設け、その電極３１と電極３２を、同時にユーザ（人体）側に接触させるようにし、インピーダンスマッチングを高めるようにすることは、ウエアラブル通信装置５の感度を高める上で効果的である。
【００７５】
このように電極３１と電極３２を設けた場合、電極間距離Ｗは、授受される信号の周波数帯により依存する。例えば、信号の周波数帯を１０ＭＨｚとした場合、また、コイル７１を上述したような形で設けていない場合（例えば、基板１２３上に、チップコンデンサ１２２と同じように設けられている場合）、電極間距離Ｗは、６０ｍｍ程度となる。６０ｍｍは、ユーザが装着する際、例えば、図２に示したように、腕時計のように装着する際、適した大きさであるとは言えず、どちらかといえば大きすぎると言える。
【００７６】
しかしながら、上述した説明のように、コイル７１を設けることにより（すなわち、本発明を適用することにより）、電極間距離Ｗを１５ｍｍ程度まで短くすることが可能となる。換言するならば、電極間距離Ｗを１５ｍｍにしても、送受信に関しては良好な感度を得ることができ、信号源２１からの信号を、電磁界１０１から受信することが可能である。電極間距離Ｗが１５ｍｍならば、ユーザがウエアラブル通信装置５を腕に腕時計のように装着するような場合でも、大きすぎるといった大きさではなく、適切な大きさであると言える。よって、本発明を適用することにより、ウエアラブル通信装置５を、小型化しても十分な感度を有する装置として、ユーザ側に提供することが可能となる。
【００７７】
なお、上述した実施の形態においては、電磁界１０１から共振回路７３により信号を受信し、抽出する場合を例に挙げて説明したが、電極３１からも信号は入力されている。すなわち、既に説明したように、ユーザが電極４に接触することにより、電極４とウエアラブル通信装置５との間に通信路が確立されるわけだが、その通信路を経由した信号も受信部５１には入力される。よって、受信部５１には、通信路を介して入力された信号と、共振回路７３により受信された信号とが入力されることになる。
【００７８】
受信部５１は、これら２つの経路で入力された信号を処理することにより、受信感度を高めることが可能となるが、２つの経路で入力された信号の同期を取ることや、位相差が生じたときの処理など、適宜、受信感度が落ちることがないようにするための処理を実行する必要はある。また、そのような処理を実行するための機能を備える必要も適宜ある。そのようなことも考慮されて、受信部５１は設計される。
【００７９】
ここで、図５と図１６を参照して、具体的にウエアラブル通信装置５で処理される信号について説明する。図５は、既に説明したように、ウエアラブル通信装置５の内部構成例を示す図である。図１６は、ウエアラブル通信装置５の受信部５１で処理される信号を示す図である。まず共振回路７３には、波形Ａのような信号が受信される。波形Ａは、例えば、１０Ｈｚのバーストパルス信号であり、信号源２１から供給される信号である。共振回路７３には、上述したように、ユーザの手１１を伝送路とする第１の経路と、電磁界１０１を伝送路とする第２の経路の、２つの経路から、波形Ａのような信号が供給（入力）される。
【００８０】
共振回路７３に入力された波形Ａのような信号は、増幅器７４に供給される。増幅器７４では、入力された信号を所定の倍率で増幅するとともに、半波整流を行うため、信号Ｂのような信号が波形整形部７８に供給されることになる。波形整形部７８は、フィルタリング処理と波形整形を行う。フィルタリング処理が実行されることにより、波形Ｃが生成される。この波形Ｃに対して波形整形処理が実行されることにより、波形Ｄが生成される。この波形Ｄで示される信号が、マイクロコンピュータ５３に供給される。
【００８１】
このような処理が、受信部５１において実行されるわけだが、本発明を適用したウエアラブル通信装置５では、その処理される信号、すなわち、受信部５１に入力される信号を感度良く受信することが可能である。よって、受信部５１に入力された信号を処理する際、受信するまでに受けたノイズなどによる影響で誤差が生じるなどの不都合が発生することを防ぐことができ、受信した信号を精度良く復調することが可能となる。
【００８２】
なお、上述した実施の形態においては、ウエアラブル通信装置５側について説明したが、ウエアラブル通信装置５に対して信号を送信する側（アダプタ３）にも、同様の構成、処理を適用することができる。すなわち、例えば、ウエアラブル通信装置５の受信部５１は、アダプタ３からの信号を受信し、処理するわけだが、ウエアラブル通信装置５から送信された信号は、アダプタ３側で受信し、処理される。このような場合、ウエアラブル通信装置５の受信部５１の構成と処理を、アダプタ３の受信部（不図示）に適用することが可能である。他の部分も、アダプタ３に適用することができる。
【００８３】
ウエアラブル通信装置５内で、上述したような処理を行うためには、例えば、増幅部７４などでは、電力を必要とする。次に、電力供給部５４（図４）について説明を加える。
【００８４】
本実施の形態におけるウエアラブル通信装置５は、電力を、信号源２１側から供給される信号から確保する。その原理について、図１７を参照して説明する。電力を供給（送信）する送電側は、発振器２０１、増幅器２０２、およびコイル２０３から構成されている。電力の供給を受ける側（受電側）は、コイル２２１、整流器２２２、フィルタコイル２２３、および負荷２２４から構成されている。
【００８５】
送電側の発振器２０１は、例えば、５０ＫＨｚの信号を発振する。ここでは、一例として５０ＫＨzの信号としたが、他の周波数の信号でも良い。ただし、アダプタ３とウエアラブル通信装置５との間でデータを授受するために用いられるキャリア信号の周波数（上述した実施の形態においては、一例として１０ＫＨzとした）とは異なる周波数とし、混信しない周波数（容易に２つの信号に分離できるような周波数）に設定される必要はある。
【００８６】
この発振器２０１により発振された信号は、増幅器２０２において所定の倍率で電力増幅される。コイル２０３は、増幅器２０２により増幅された信号により駆動される。コイル２０３が駆動されているときに、そのコイル２０３の近傍に、受電側のコイル２２１が存在すると、受電側のコイル２２１に電力が電送される。このことは、送電側のコイル２０３と受電側のコイル２２１とが組み合わされることにより、共通のコアを有する擬似的なトランスが構成される。
【００８７】
受動側のコイル２２１に伝送された電力は、整流器２２２により整流される。すなわち、送電側から送電される電力は、交流信号の電力であるため、受信側に受信される電力も、交流信号の電力である。整流器２２２は、交流信号の電力を直流信号の電力に変換する。このように変換された直流電力が、フィルタコンデンサ２２３や負荷２２４に供給される。負荷２２４は、例えば、マイクロコンピュータ５３である。
【００８８】
このような原理により、すなわち、送電側のコイル２０３と受電側のコイル２２１とで擬似的なトランスを構成することにより電力の授受を行う原理により、ウエアラブル通信装置５は、電力を供給するための電池などを内部に備えなくても、電力を確保することができる。
【００８９】
図１７に示した図において、送電側は、例えば、アダプタ３に組み込まれる。コイル２０３は、電極４の一部（または電極４自体）として構成することができる。いずれもしても、電力を、上述したような原理により供給するようにした場合、ウエアラブル通信装置５には、データを授受するための信号と電力を確保するための信号とが供給される。
【００９０】
図１７は、上述したような原理を用いて電力を確保する場合における電力供給部５４の内部構成例を示す図である。電力供給部５４は、受電コイル２４１、整流・フィルタ部２４２、および、DC／DC（Direct Current／Direct Current）コンバータ２４３から構成されている。
【００９１】
受電コイル２４１は、図１７においてはコイル２２１のことであり、送電側からの電力（信号）を受信するために設けられている。受電コイル１４１により受信された信号は、整流・フィルタ部２４２に供給される。整流・フィルタ部２４２に供給される信号は、交流信号である。よって、整流・フィルタ部２４２は、供給された交流信号に対し、整流処理とフィルタリング処理を施すことにより、直流信号を生成し、DC／DCコンバータ２４３に供給する。
【００９２】
DC／DCコンバータ２４３は、供給された直流信号を、安定化した所定の電圧の信号に変換する。このようにして、ウエアラブル通信装置５内に必要な電力が、電力供給部５４により生成され、ウエアラブル通信装置５内の各部に、その生成された電力が供給される。
【００９３】
このように、伝送されてきた信号により電力を生成することができる。よって、電力が生成されたときだけ、ウエアラブル通信装置５が駆動されるように設計しても良い。しかしながら、ウエアラブル通信装置５は、常にデータ通信を行える状態（スタンバイ状態）にしてある方が好ましと考えられる。また、電力供給部５４で生成される電力量以上の電力が必要になる場合も考えられるため、そのような状況が発生したようなときでも電力が供給できるように電力供給部５４を構成する方が好ましい。
【００９４】
そこで、電力供給部５４を、図１９に示したような構成とする。図１９に示した電力供給部５４の構成では、図１８に示した電力供給部５４に、充電制御部２５１と二次電池２５２を追加した構成とされている。二次電池２５２は、充電可能な電池であり、充電制御部２５１によりその充電が制御される電池である。
【００９５】
図１９に示した電源供給部５４においては、DC／DCコンバータ２４３から出力された電力は、充電制御部２５１に供給される。充電制御部２５１は、ウエアラブル通信装置５内の各部が必要とする電力を、各部に供給するとともに、二次電池２５２にも電力を供給する。ただし、二次電池２５２に電力が供給されるのは、ウエアラブル通信装置５内で消費される電力が余ったときであり、ウエアラブル通信装置５内の各部に対する電力の供給の方が優先的に行われる。
【００９６】
また、二次電池２５２は、必要に応じ、例えば、充電制御部２５１からウエアラブル通信装置５内の各部に供給される電力が不足しているときなどに用いられ、二次電池２５２からも電力が、各部に供給される。さらに、二次電池２５２は、スタンバイ状態のときに、ウエアラブル通信装置５内の各部に電力を供給するようになされている。
【００９７】
このように二次電池２５２を設けることにより、ウエアラブル通信装置５においてスタンバイ状態を実現することがでる。また、充電制御部２５１を設けることにより、その二次電池２５２を充電することが可能となる。
【００９８】
例えば、送電側の機能をアダプタ３に組み込み、送電をするためのコイル２０３を例えば、マウス１２（図２）に組み込んだ場合を考える。ユーザがマウス１２を保持しているとき、よって、アダプタ３とウエアラブル通信装置５が通信を行える状態のとき、アダプタ３とウエアラブル通信装置５は、常にデータの授受を行っているわけではない。例えば、ユーザ認証のためのデータを授受するためにウエアラブル通信装置５が用いられることを想定すると、アダプタ３とウエアラブル通信装置５が通信を行うのは、そのユーザ認証のために必要なユーザＩＤなどを送信するときだけである。
【００９９】
しかしながら、ユーザがマウス１２を保持している時間は、ユーザＩＤなどを授受するのに必要な時間に対して長く、従って、通信ができる状態であっても通信を行っていない時間も多く、その通信を行っていない時間を二次電池２５２の充電のための時間にわりあてることが可能である。充電制御部２５１は、そのような状況判断を行い、適宜、二次電池２５２を充電する。
【０１００】
このようなことを考慮すると、送電側の装置（図１７の図中左側に示した部分）の装置は、データを授受するための信号を発信する装置（例えば、アダプタ３）に必ずしも組み込む必要性はない。送電側の装置は、例えば、上述したマウス１２のように、比較的ユーザが保持している時間が長いと考えられる装置に組み込まれる。ただし図１８に示したような、電力供給部５４が二次電池２５２を備えていないような構成の場合、必ず電力を供給する必要性があるので、そのような場合には、全てのアダプタ３に送電側の装置を組み込む必要性がある。
【０１０１】
受電コイル２４１は、コイル７１（例えば、図５に示したコイル７１）と共用されても良い。上述したように、コイル７１は、電磁界１０１からの信号を効率良く受信できるように構成されている。このことを利用し、電力を供給する信号も効率良く受信できるようにするために、コイル７１を受電コイル２４１としても用いるようにしても良い。そのように共用するように設計された場合、コイル７１により受信された信号のうち、例えば、１０ＭＨｚのキャリア信号の信号は、増幅器７４（図５）に供給され、５０ＭＨｚのキャリア信号の信号は、整流・フィルタ部２４２（図１８）に供給されるように構成されればよい。
【０１０２】
上述した実施の形態、例えば、図１９を参照して説明した実施の形態においては、電源力供給部５４に二次電池２５２が組み込まれている場合を例に挙げて説明した。二次電池２５２の代わりに、または、二次電池２５２と併用する構成として、電気二重層コンデンサや太陽電池を用いても良い。電気二重層コンデンサとは、コンデンサにおける誘電体の代わりに電気二重層を誘電体として利用したものであり、固体と液体など、二つの異なる層が接触すると、その界面にプラスとマイナスの電荷が分子レベルの距離を隔てて存在する状態になることを利用したものである。
【０１０３】
このようにして、電力を確保し、ウエアラブル通信装置５をスタンバイ状態に常に保つことができるようにしても、常に通信を行うわけでないため、常にマイクロコンピュータ５３を駆動させているような状態にしておく必要性はない。そこで、必要に応じてマイクロコンピュータ５３が駆動されるようにする。図２０は、必要に応じてマイクロコンピュータ５３が駆動されるように構成した場合の受信部５１の内部構成例（ただし一部分のみを図示してある）を示す図である。
【０１０４】
図２０に示した受信部５１においては、波形整形部７８とマイクロコンピュータ５３との間に、２つの線が設けられている。２つの線のうち、一方の線は信号線２７１であり、他方の線はトリガー線２７２である。信号線２７１は、データ信号を供給するための線であり、トリガー線２７２は、マイクロコンピュータ５３をスリープ状態からウエイクアップ状態に変化させるための信号を供給するための線である。
【０１０５】
次に、図２１を参照して、ウエアラブル通信装置５のマイクロコンピュータ５３をスリープ状態からウエイクアップ状態に変化させるための信号の授受について説明する。図２１に示した信号のうち、波形Ａの信号は、アダプタ３側から発信される信号であり、例えば、１０ＭＨｚのバーストパルス列の信号である。この波形Ａの信号は、アダプタ３とウエアラブル通信装置５がデータの授受を行うときに用いられる信号と同じ周波数が用いられる。
【０１０６】
この波形Ａの信号は、ウエアラブル通信装置５のマイクロコンピュータ５３をウエイクアップさせるための信号である。
【０１０７】
波形Ｂの信号も、アダプタ３から発信される信号であり、電力を供給するための信号である。
【０１０８】
波形Ｃの信号は、ウエアラブル通信装置５から出力される信号であり、マイクロコンピュータ５３がウエイクアップされた状態で、そのことを示すためにアダプタ３側に送信される信号である。すなわち、波形Ｃの信号は、ウエアラブル通信装置５がデータの授受を行える状態にあることを、アダプタ３側に認識させるための信号として用いられる。
【０１０９】
図２１において、時刻ｔ１は、ウエアラブル通信装置５が、波形Ｂの信号を受信し始めたタイミングを示す。すなわち、時刻ｔ１以降においてウエアラブル通信装置５は、二次電池２５２に対して充電が行える状態とされる。その後、時刻ｔ２になると、ウエアラブル通信装置５が、波形Ａの信号を受信し始める状態とされる。すなわち、ウエアラブル通信装置５を装着したユーザが、電極４と接触した状態となり、通信路が確立され、電磁界１０１が拡大された状態になったことを意味している。
【０１１０】
このように、ウエアラブル通信装置５がアダプタ３（電極４）に近づき、接触するまでの間を考えた場合、まず、電力を供給するための波形Ｂの信号を受信できる状態となり、その後、接触した時点で、波形Ａの信号を受信できる状態となる。
【０１１１】
ウエアラブル通信装置５が、波形Ａの信号を受信し始めてから、所定数のバーストパルスを受信すると、マイクロコンピュータ５３がスリープ状態からウエイクアップ状態に変更される。図２１に示した例では、バーストパルスが３個受信された後に、状態が変更されるように設定されており、３個目のバーストパルスが受信された時刻が、時刻ｔ３である。時刻ｔ３の直後に、マイクロコンピュータ５３は駆動され、処理が行える状態とされる。
【０１１２】
時刻ｔ４のとき、ウエアラブル通信装置５は、４個目のバーストパルスを受信した状態である。その４個目のバーストパルスを受信すると、マイクロコンピュータ５３は、処理を実行できる状態になったことをアダプタ３側に知らせるための信号（波形Ｃの信号）を出力する。その後、ウエアラブル通信装置５のマイクロコンピュータ５３は、波形Ａの信号を受信すると、波形Ｃの信号を送信する。このようにして、アダプタ３とウエアラブル通信装置５は、相互に、データの授受が行える状態であることを信号の送受信を行うことで確認し合う。
【０１１３】
送受信が行える状態にあると確認されている間に、必要に応じて、アダプタ３からウエアラブル通信装置５に、または、ウエアラブル通信装置５からアダプタ３に、データ（例えば、ユーザＩＤ、プログラムなど）が送受信される。図２１に示した例では、アダプタ３とウエアラブル通信装置５との通信は、半二重通信である。よって、一方がデータを送信している間は、他方はデータを受信するだけであり、データを送信することはできない。
【０１１４】
このような半二重通信の場合、データは、波形Ａの信号と波形Ｃの信号が送受信されていないときに送受信される。もちろん、半二重通信ではなく、他の通信方式を適用するようにしても良い。
【０１１５】
このようにして、アダプタ３は、常にウエアラブル通信装置５を検出するための検出信号を発信し、ウエアラブル通信装置５は、その発信されている信号を受信すると、そのことを相手側に伝えるための存在信号を送信する。このようにすることで、ウエアラブル通信装置５は、通信を行えない状態のときには電力の消費が少ないスリープ状態にされ、通信が行える状態のときには、ウエイクアップ状態にされるため、全体として消費電力を抑えることが可能となる。
【０１１６】
なお、図２１を参照して説明したように、所定の信号を授受することによりウエアラブル通信装置５が、スリープ状態からウエイクアップ状態に切り替えられるようにしても良いが、他の方式により状態が切り替えられるようにしても良い。例えば、供給される電圧の変換を検知し、その検知結果に応じて状態が切り替えられるようにしても良い。
【０１１７】
例えば、電力供給部５４が二次電池２５２を備える構成とされている場合、スリープ状態のときにはその二次電池２５２からウエアラブル通信装置５内の各部に必要な電力が供給されている。
【０１１８】
スリープ状態のときでも、ウエアラブル通信装置５がアダプタ３（電極４）に近づくと、受電コイル２４１により電力供給用の信号が受信される。受電コイル２４１で信号が受信されると、結果として、電力供給部５４から二次電池２５２以外からの電力も各部に供給されることになる。よって、二次電池２５２からのみ電力が供給されている状態と比較し、大きな電力が供給されることになる。このような電力の変化を検知するようにすれば、ウエアラブル通信装置５が、電極４に近づいている状態であるか否か、さらには、通信を行える状態であるか否かを判断することができる。そして、通信を行える状態であると判断されるときのみ、ウエイクアップ状態にされれば、上述したような場合と同様に、消費電力を抑制することが可能となる。
【０１１９】
このようにアダプタ３とウエアラブル通信装置５が通信を行える状態（ウエイクアップ状態）にされた後のデータの授受は、どのようなプロトコルに基づいて行われるようにしても良い。
【０１２０】
このように、ウエアラブル通信装置５などの、ユーザの体に装着され、他の装置と通信を行う装置に対して、本発明を適用することにより、装置を小型化でき、良好な通信を行えるようになる。
【図面の簡単な説明】
【０１２１】
【図１】本発明を適用したシステムの一実施の形態の構成を示す図である。
【図２】アダプタと通信装置の関係について説明するための図である。
【図３】伝送路について説明するための図である。
【図４】ウエアラブル通信装置の内部構成例を示す図である。
【図５】ウエアラブル通信装置の回路図である。
【図６】電磁界について説明するための図である。
【図７】コイルの形態について説明するための図である。
【図８】受信部の構成例を示す図である。
【図９】コイルの他の形態について説明するための図である。
【図１０】コイルのさらに他の形態について説明するための図である。
【図１１】受信部の他の構成例を示す図である。
【図１２】受信部の他の構成例を示す図である。
【図１３】受信部の他の構成例を示す図である。
【図１４】コイルの配置について説明するための図である。
【図１５】電極の距離について説明するための図である。
【図１６】受信部で処理される信号について説明するための図である。
【図１７】電力の伝送の原理について説明するための図である。
【図１８】電力供給部の内部構成例を示す図である。
【図１９】電力供給部の他の内部構成例を示す図である。
【図２０】受信部のさらに他の内部構成例を示す図である。
【図２１】ウエアラブル通信装置の状態の切り替えに用いられる信号について説明するための図である。
【符号の説明】
【０１２２】
１  ＰＣ，  ２  ＬＡＮ，  ３  アダプタ，  ４  電極，  ５  ウエアラブル通信装置，  １２  マウス，  ２１  発振源，  ３１，３２  電極，  ５１  受信部，  ５２  送信部，  ５３  マイクロコンピュータ，  ５４  電力供給部，  ７１  コイル，  ７２  コンデンサ，  ７３  共振回路，  ７４  増幅器，  ７５  抵抗，  ７６  コンデンサ，  ７７  抵抗，  ７８  波形整形部，  １０１  電磁界，  １２１  空芯コイル，  １２２  チップコンデンサ，  １２３  基板，  ２０１  発振器，  ２０２  増幅器，  ２０３  コイル，  ２２１  コイル，  ２２２  整流器，  ２２３  フィルタコンデンサ，  ２２４  負荷，  ２４１  受電コイル，  ２４２  整流・フィルタ部，  ２４３  DC／DCコンバータ，  ２５１  充電制御部，  ２５２  二次電池
【図１】
2005094466.tif 000004
【図２】
2005094466.tif 000005
【図３】
2005094466.tif 000006
【図４】
2005094466.tif 000007
【図５】
2005094466.tif 000008
【図６】
2005094466.tif 000009
【図７】
2005094466.tif 000010
【図８】
2005094466.tif 000011
【図９】
2005094466.tif 000012
【図１０】
2005094466.tif 000013
【図１１】
2005094466.tif 000014
【図１２】
2005094466.tif 000015
【図１３】
2005094466.tif 000016
【図１４】
2005094466.tif 000017
【図１５】
2005094466.tif 000018
【図１６】
2005094466.tif 000019
【図１７】
2005094466.tif 000020
【図１８】
2005094466.tif 000021
【図１９】
2005094466.tif 000022
【図２０】
2005094466.tif 000023
【図２１】
2005094466.tif 000024